(57)【特許請求の範囲】
【請求項１】
半導体スイッチデバイスにダイオードを逆並列に接続したアームを２個直列に接続したレグを入力側と出力側でそれぞれ直流回路と接地回路の間に設けて両レグのアーム接続点の間にリアクトルを接続して形成した、電圧変換率を調整するパルス幅変調方式のスイッチ回路において、電圧変換率の目標値がデッドバンドを含む調整領域内にあるときには、一方のレグにおける通流率を１から下げて他方のレグにおける通流率を該一方のレグの通流率に目標の電圧変換率を掛けた値に基づいて設定し、該電圧変換率目標値が該調整領域外にあるときには、一方のレグにおける通流率を１とし他方のレグにおける通流率を目標の電圧変換率に対応する値に設定することにより調整するデッドバンド補償方法。
【請求項２】
前記他方のレグにおける通流率を下げる前記調整領域の境界にはヒステリシスを持たせることを特徴とする請求項１記載のデッドバンド補償方法。
【請求項３】
半導体スイッチデバイスにダイオードを逆並列に接続したアームを２個直列に接続したレグを入力側と出力側でそれぞれ直流回路と接地回路の間に設けて両レグのアーム接続点の間にリアクトルを接続して形成した、電圧変換率を調整するパルス幅変調方式のスイッチ回路に備えたデッドバンド補償装置であって、電圧変換率の目標値がデッドバンドを含む調整領域内にあるときに、一方のレグにおける通流率を１から下げて他方のレグにおける通流率を前記一方のレグにおける通流率に目標の電圧変換率を掛けた値に基づいて設定し、該電圧変換率目標値が該調整領域外にあるときに、一方のレグにおける通流率を１とし他方のレグにおける通流率を目標の電圧変換率に対応する値に設定する制御回路を備えて、該スイッチ回路の電圧変換率を調整するデッドバンド補償装置。
【請求項４】
前記スイッチ回路は、四象限チョッパ回路であることを特徴とする請求項３記載のデッドバンド補償装置。
【請求項５】
前記入力側に直流電源、前記出力側に蓄電設備または負荷を接続して使用することを特徴とする請求項３または４記載のデッドバンド補償装置。
【請求項６】
前記入力側に直流電源と負荷、前記出力側に蓄電設備を接続して使用することを特徴とする請求項３または４記載のデッドバンド補償装置。
【請求項７】
前記入力側を直流の主回路に、前記出力側を二次電池に接続した請求項３または４記載のデッドバンド補償装置を備えた電池駆動車両。
【発明の詳細な説明】
【技術分野】
【０００１】
本発明は、産業用充放電システムなどに使用するフルブリッジ形四象限チョッパにおいてデッドタイムを原因とする電圧変換率設定不能領域すなわちデッドバンドを解消する補償方法と装置に関する。
【背景技術】
【０００２】
２つの直流回路間の電力変換、蓄電設備の充放電や電力供給、電池駆動車両の駆動と回生、などには、順方向の電力フローばかりでなく逆方向の電力フローが必要となる。このような機能を備えたものに図１に示すパルス幅変調（ＰＷＭ）方式の四象限チョッパがある。
図示した四象限チョッパは、半導体スイッチデバイスにダイオードを逆並列に接続したアームを２個直列に接続して形成するレグを、入力側と出力側の２カ所でそれぞれ直流回路と接地回路の間に設けて、両レグのアーム接続点の間にリアクトルを接続して形成したフルブリッジ形の四象限チョッパである。
なお、半導体スイッチデバイスには例えばＩＧＢＴやトランジスタなどがある。
【０００３】
入力側と出力側のレグの通流率を調整することにより入力電圧と出力電圧の比率、電圧変換率を１を挟んだ大幅な範囲で設定することができる。
たとえば、図中、入力側レグの上アームのトランジスタＳ１をオンにし下アームのトランジスタＳ２をオフにして、出力側レグの上アームトランジスタＳ３と下アームトランジスタＳ４の通流率を調整することにより、昇圧領域における電圧変換率が調整できる。一方、Ｓ３をオンにしＳ４をオフにしてＳ１，Ｓ２の通流率を調整することにより降圧領域における電圧変換率が調整できる。
【０００４】
ただし、直流回路の短絡を防止するため、レグ内で上アームと下アームのスイッチの両方を同時にオンにすることは避けなければならない。すなわち、一方のスイッチがターンオフしてから相手方のスイッチをターンオンすることが必要であり、このため、いずれのスイッチもオフとするデッドタイムを持たせて、安全を確保する。また、実際の素子は製造上のばらつきや周囲条件に基づく性能上のバラツキがあるので、デッドタイムもそれに応じて適度の余裕を持たせる必要があり、このため余り短くすることができない。
【０００５】
このデッドタイムの存在により、電圧変換率が１に近づくと電圧変換率が変化しない領域が存在することになる。この領域に入ると電圧変換率が１になってしまう。このような状況を図４に示す。電圧変換率設定値が１に近い部分に電圧変換率を調整できない領域が生ずる。この領域は、目標値を変更しても実際の制御出力が変化しない、いわゆるデッドバンドとして知られているものである。
【０００６】
このように電圧変換率を正しく設定できない範囲は半導体スイッチング素子の特性や制御上の余裕の大きさに依存するが、５％前後である場合が普通である。
【０００７】
特許文献１は、半導体スイッチング素子にダイオードを逆並列に接続したアームを２個直列に接続したレグを備えたパルス幅変調方式の電力変換器におけるデッドタイム補償方法を開示するものである。開示方法は、パルス幅変調指令信号と実際の指令出力信号の差をゼロにするようにフィードバック制御してパルス幅変調指令信号を精度良く供給させるものであって、実際の信号が２値信号にならず中間電圧レベルになるのでアナログ信号としてフィードバックし予め知られた誤差要因に基づいて補償して判定するようにしたものである。
【０００８】
特許文献１における電力変換器の回路構成は本願発明の対象とするチョッパ回路と類似しているが、特許文献１は、本願発明において問題にする電圧変換率の設定ができない領域について、さらに本願発明における両レグにおける通流率を調整するという解決手段について、何ら教示も示唆もしていない。
【特許文献１】特開平５−３２８７４５号公報
【発明の開示】
【発明が解決しようとする課題】
【０００９】
本発明が解決しようとする課題は、四象限チョッパ回路においてデッドバンドを排除して連続的に電圧変換率が設定できる補償方法と装置を提供することである。
【課題を解決するための手段】
【００１０】
上記課題を解決するため、本発明のデッドバンド補償方法および装置は、半導体スイッチデバイスにダイオードを逆並列に接続したアームを２個直列に接続したレグを入力側と出力側でそれぞれ直流回路と接地回路の間に設けて両レグのアーム接続点の間にリアクトルを接続して形成したパルス幅変調方式のスイッチ回路において、直流回路の短絡を避けるために設けるデッドタイムＴｄに制約を受けて第１（第２）のレグにおける半導体スイッチデバイスをオンすることができない通流率範囲すなわちデッドバンドでは、第２（第１）のレグにおける通流率γ２（γ１）を１から下げて、これに対応して第１（第２）のレグにおける通流率γ１（γ２）を決定することにより電圧変換率を調整することを特徴とする。
上記スイッチ回路は四象限チョッパ回路であってよい。
上記第２（第１）のレグにおける通流率γ２（γ１）を下げる決定にはヒステリシスを持たせることが好ましい。
【００１１】
直流回路の短絡を避けるためにゲートをオフした時点より所定の時間遅れて相手側の半導体素子にゲート信号を与えるようにする必要がある。この時間遅れは、デッドタイムＴｄと称される。デッドタイムＴｄに制約を受けて半導体スイッチをオンすることができない結果、通流率を変更することにより電圧変換率設定値を変更しても実際の電圧変換率が変化しない領域が生じ、本明細書では、これをデッドバンドと呼ぶ。
【００１２】
本発明のデッドバンド補償方法を使用することにより、電圧変換率を連続的に設定できるようになる。なお、デッドバンド以外の領域では第１のレグおよび第２のレグのどちらか一方のみで通流率比を設定するようにすれば、半導体スイッチにおけるスイッチングロスを抑制することができる。
通流率γ１およびγ２の両方を下げる決定をする領域の境界にヒステリシスを持たせることにより、境界部分における制御のバタツキが減少し安定した制御ができるようになる。
【００１３】
上記四象限チョッパ回路など本発明のパルス幅変調方式のスイッチ回路は、入力側に直流電源、出力側に蓄電設備と負荷を接続して使用することができる。また、入力側に直流電源と負荷、出力側に電池を接続してもよい。各種蓄電設備の充放電や電力供給において、電圧変換率１近傍に対応する通流率における不感帯すなわちデッドバンドを解消し、電圧変換率を１近傍においても正確に設定することができる。また、デッドバンド以外の領域では一方のレグのみがスイッチするのでスイッチングロスを低く抑えることができる。
【００１４】
さらに、本発明のパルス幅変調スイッチ回路は、二次電池を搭載した電池駆動車両に対して、入力側を直流の主回路に、出力側を二次電池に接続することにより適用することができる。電圧変換率１付近に存在したデッドバンドがなくなるので、これに起因する振動が発生することなく、かつデッドバンド以外の領域におけるスイッチングロスを低く抑えながら、二次電池の充放電をすることができる。
【発明を実施するための最良の形態】
【００１５】
以下、図面を用いて、本発明のデッドバンド補償方法および補償装置の最良の実施形態を詳細に説明する。
図１は本実施例のデッドバンド補償方法を適用するパルス幅変調方式スイッチ回路の回路図、図２はデッドバンド補償方法を説明するグラフで電圧変換率を操作する際の通流率設定状況を表す。図３はＰＷＭ信号で上アームと下アームのトランジスタを駆動するときのデッドタイムの影響を説明する線図、図４は本実施例のデッドバンド補償方法を適用したときの通流率と電圧変換率（または昇降圧比）の関係を表したグラフ、図５は従来例における通流率と電圧変換率の関係を表したグラフ、図６は本実施例におけるスイッチ素子のスイッチ特性図、図７は本実施例のデッドバンド補償方法を電池の充放電制御装置に適用した例を示す回路図、図８は本実施例のデッドバンド補償方法を電池駆動車両に適用した例を示す回路図である。
【００１６】
本実施例は、本発明のデッドバンド補償方法を、図１に示すパルス幅変調方式のスイッチ回路に適用したものである。
図１のスイッチ回路は、ＩＧＢＴなどの半導体スイッチ素子Ｓ１，Ｓ２，Ｓ３，Ｓ４のそれぞれにダイオードＤ１，Ｄ２，Ｄ３，Ｄ４を逆並列に接続したアームを２個直列に接続したレグを入力側と出力側でそれぞれ直流回路と接地回路の間に設けて両レグのアーム接続点の間にリアクトルＬ０を接続して形成したパルス幅変調方式の四象限チョッパ回路１である。
【００１７】
制御回路２が附属して、四象限チョッパ回路１内の半導体スイッチ素子Ｓ１，Ｓ２，Ｓ３，Ｓ４のオンオフを制御して、直流機の正転力行、正転回生、逆転力行、逆転回生など、四象限のチョッパ制御を行う。半導体スイッチ素子を高速高頻度でオンオフするので、電流の平滑化のためリアクトルＬ１，Ｌ２とキャパシタＣ１，Ｃ２が接続されている。
図１では、四象限チョッパ回路１の入力側に直流電源装置３を接続し、出力側に蓄電設備や負荷４を接続している。
【００１８】
高電圧の直流電源装置３から低電圧の蓄電設備４に電流を供給するときは、出力側上アームの半導体スイッチ素子Ｓ３を導通し入力側レグの半導体スイッチ素子Ｓ１，Ｓ２を断続してチョッパ出力電圧を調整し、降圧チョッパの動作をさせる。出力電圧Ｖｏの平均値は、入力電圧Ｖｉに実質的にはＳ１の導通率になる入力側レグの通流率γ１を掛けた値になる。すなわち、
Ｖｏ＝γ１Ｖｉ
【００１９】
低電圧入力を高電圧出力に変換する場合は、入力側上アームの半導体スイッチ素子Ｓ１を導通し、出力側レグの半導体スイッチ素子Ｓ３，Ｓ４を断続して昇圧チョッパとして作動させる。下アームのスイッチＳ４がオンのときにリアクトルＬ０にエネルギーを蓄積させ、オフのときに電源からのエネルギーと蓄積エネルギーを出力側に接続された負荷に供給する。リアクトルＬ０が十分大きく流れる電流Ｉが一定であるとすれば、スイッチＳ４がオンのときｔonにリアクトルＬ０に蓄えられた電力がスイッチＳ４がオフのときｔoffに負荷に放出されるので、
ＶｉＩｔon＝（Ｖｏ−Ｖｉ）Ｉｔoff
ここで、T＝ｔon＋ｔoff、ｂ＝ｔoff／T、出口側レグの通流率γ２＝ｔon／Tとすれば、
γ２＋ｂ＝１
Ｖｏ＝ＶｉＴ／ｔoff＝Ｖｉ／（１−γ２）
【００２０】
そこで、四象限チョッパ回路１の昇降圧比（電圧変換率）λ＝Ｖ２／Ｖ１を半導体スイッチ素子の断続により設定しようとすると、基本的には、図２のグラフに示すように、電圧変換率λが１より小さい場合に入力側レグの通流率γ１の対数と電圧変換率λが比例し、電圧変換率λが１より大きい場合に出力側レグの通流率γ２の対数と電圧変換率λが逆比例する（電圧変換率１近傍については、一点鎖線で表している）。
【００２１】
通流率γが１でない場合は、各レグの上アームと下アームのトランジスタスイッチを相互に相補的に開閉して所望の通流率を達成するが、直流回路の短絡を防ぐため同時にオンにすることができない。実際は、トランジスタが電圧素子能力を回復する時間が必要なので、ゲートをオフした時点よりデッドタイムＴｄだけ遅らせて相手方のトランジスタにゲート信号を与える。
【００２２】
図３はＰＷＭ信号で上アームと下アームのトランジスタを駆動するときのデッドタイムの影響を説明する線図である。
ＰＷＭ信号で上アームのトランジスタのターンオフを指令したときに、下アームのトランジスタは上アームのトランジスタがオフになってもデッドタイムＴｄが経過するまでオンにはならない。また、ＰＷＭ信号で下アームのトランジスタのターンオフを指令したときに、上アームのトランジスタは下アームのトランジスタがオフになってもデッドタイムＴｄが経過するまでオンにはならない。
【００２３】
このため、たとえば降圧チョッパとして作動しているときに、電圧変換率λが小さい方から１に近づいて上アームのトランジスタＳ１のオフ時間ｔoffが短くなり、したがって下アームのトランジスタＳ２がオン時間が短くなって、ついにデッドタイムＴｄの関係でオンできなくなるときが来る。その結果、上アームの逆並列ダイオードＤ１が電流を通している場合は、四象限チョッパの入力電圧と出力電圧が等しく、電圧変換率は１となる。
【００２４】
図４は、本実施例のデッドバンド補償方法を用いた場合における、電圧変換率（または昇降圧比）の設定値と実際に得られる値の関係を表すグラフで、横軸に電圧変換率の設定値、縦軸に実際に得られる電圧変換率をとったものである。設定電圧変換率は、１までは入力側通流率γ１、１以上は出力側通流率γ２を使った１／（１−γ２）で代表している。図中、破線はデッドバンド補償方法を用いない従来例による場合を参考のため示す。図５は、従来例による電圧変換率設定値と実際に得られる値の関係を表すグラフである。
【００２５】
図４において破線で示すグラフまたは図５のグラフから分かる通り、デッドバンド補償方法を用いない従来法によれば、設定値１近傍で実際の電圧変換率λが１になるデッドバンドが発生する。デッドバンドは、上記説明の通り、デッドタイムＴｄの影響によるものである。デッドタイムＴｄは、スイッチング素子のスイッチング遅れやドライブ回路などの時間遅れなどを補償できる期間である必要があり、これらの時間遅れは、素子などの特性が生産上のバラツキを持ち、温度変化や経年変化などによっても変動するため、通常５μｓないし１０μｓ程度設ける。このため、電圧変換率設定値１を挟んで５％ないし１０％ほどのデッドバンドが生じることになる。
【００２６】
本実施例のデッドバンド補償装置は、電圧変換率の目標値がデッドバンドを含む調整領域にあるときに、一方のレグにおける通流率を１から下げて他方のレグにおける通流率を該一方のレグの通流率で目標の電圧変換率を割った値に基づいて設定し、電圧変換率目標値が該調整領域外にあるときには、一方のレグにおける通流率を１とし他方のレグにおける通流率を目標の電圧変換率に対応する値に設定することにより調整するデッドバンド補償装置である。すなわち、図２において前記調整領域はデッドバンドを含む領域となっており、この領域において以下の制御を行う。
【００２７】
降圧チョッパ領域のデッドバンドを含む調整領域においては、図２に示すように、従来スイッチの断続をしていない側のレグの通流率γ２を１からより小さい値γ２’に設定すると共に断続していた側のレグの通流率γ１をγ２に対応した新しい値γ１’に変化させて、両側のレグについてスイッチの断続をすることにより、電圧変換率λを調整するものである。
【００２８】
補償前の通流率γ１，γ２（＝１）と補償後の通流率γ１’，γ２’の間には、
γ１＝γ１’／γ２’
なる関係が成立するようにする。
すると、デッドバンド内の電圧変換率λ＝Ｖｏ／Ｖｉは、γ１’／γ２’で決まるので、電圧変換率λを連続的に設定することができる。
【００２９】
昇圧チョッパ領域においても同様である。
すなわち、補償前の通流率γ２，γ１（＝１）と補償後の通流率γ２’，γ１’の間には、
γ２＝γ２’／γ１’
なる関係が成立するようにして、デッドバンドを含む調整領域内の電圧変換率λ＝Ｖｏ／Ｖｉを、γ２’／γ１’で決まるようにする。
【００３０】
上記調整領域は、スイッチング素子の制御上の余裕を見込んでデッドバンドより少し広めに設定される。制御上の余裕を大きくとると、スイッチングロスが大きくなるので、デッドバンドを含むできるだけ小さい領域に上記手法を取り込むことが好ましい。
なお、本実施例のスイッチ素子のスイッチ特性を図６に示す。スイッチング周期２５０μｓに対して、デッドタイムを５μｓ見込んであり、通流率γは実線で示すようになる。この結果、電圧変換率のデッドバンドの実測値は約５％となる。
スイッチング周期に対するデッドタイムの割合が4％のところ、デッドバンドが約5％となるのは、デッドタイムは制御上の設定値であり、実測値でないところに起因するもので、いわゆるアパーチャ時間の揺らぎなど、不定な遅れ時間を見込む必要があるからである。
【００３１】
この場合、調整領域は１％の制御上の余裕を見て電圧変換率１を挟んで±６％にとる。
デッドバンドの５％は、前述したようにスイッチ素子の整合時のバラツキや作動時の周囲条件の変動を見込み、安全を見て５μｓとしたが、より小さいバラツキのスイッチ素子を使用したり、周囲条件を管理することにより、より短い時間とすることができる。すなわち、５μｓは絶対的な数値ではなく、スイッチ素子のバラツキと回路の安全性のトレードオフに基づく相対的な値である。したがって、たとえば３μｓなど、５μｓより短くして効率を上げることも、またたとえば１０μｓなど、５μｓより長くして、より安全を期することも可能である。
デッドタイムが変われば、これに応じてデッドバンドの大きさが変わることは前述した通りである。
【００３２】
同様な理屈により、調整領域をデッドバンドより±１％広くとることも絶対的なものでなく、相対的なものであり、たとえば±２％とすることも可能である。さらに、余裕なしとしてもよいことはいうまでもない。余裕を大きくとれば、デッドバンドは確実になくなり、制御系の非線形性は小さくなり、制御上の安定に資することができが、前述したようにロスが大きくなり効率が悪くなる。
なお、調整領域の境界にはヒステリシスを持たせて、片側スイッチングと両側スイッチングの遷移領域でモード選択のばたつきを防止し安定した操作をすることが好ましい。
【００３３】
図４に実線で示す通り、本実施例のデッドバンド補償方法を用いたときの通流率による電圧変換率設定値と得られる電圧変換率の関係を表したグラフから、電圧変換率１の近傍にあったデッドバンドが解消して、電圧変換率１付近でも不感とならない電圧変換率が得られることが分かる。
このように、本実施例のデッドバンド補償法により電流変換率１近傍においても連続的に電圧変換率を設定することができるようになった。
【００３４】
また、デッドバンドにおいて通流率が１であるレグの通流率を下げる境界値に上方から近づく場合と下方から近づく場合でヒステリシスを持たせるようにすると、境界部分における揺らぎが減少し安定した運転ができるようになる。
なお、上記説明では、四象限チョッパ回路の第１象限と第２象限について説明したが、蓄電設備等から電源装置の方向に電流を供給する場合に当たる第３象限と第４象限についても全く同じ説明が可能である。
【００３５】
図７は、本実施例のデッドバンド補償方法を電池の充放電制御装置に適用した例を示す回路図である。
本実施例のデッドバンド補償装置を組み込んだ四象限チョッパ回路１の入力側に直流電源５と負荷６、出力側に二次電池７が接続されている。
本設備においては、負荷６に直流電源５が接続されていて電力が供給されるが、二次電池７も四象限チョッパ回路１を介して直流電源５および負荷６に接続されていて、バックアップ電源として作動する。
二次電池７の蓄電量が不足して電圧が低下する場合は、第１象限または第２象限チョッパ回路として動作する四象限チョッパ回路１を介して直流電源５から二次電池７に充電する。
【００３６】
一方、負荷６に対して電源装置５の供給電力が不足する場合は、第３象限または第４象限チョッパ回路として動作する四象限チョッパ回路１を介して二次電池７から負荷６に電力を供給することができる。
本実施例のデッドバンド補償法を用いるため、いずれのケースにおいても電圧変換率が１に近い場合にも正確に設定することができる。また、デッドバンドから離れた領域で充放電する場合には、一方のレグのみがスイッチするのでスイッチングロスを低く抑えることができる。
【００３７】
図８は、本実施例のデッドバンド補償方法を電池駆動車両に適用した例を示す回路図である。
本実施例のデッドバンド補償装置を組み込んだ四象限チョッパ回路１の入力側にパンタグラフ１２の電力取り込み線を接続し、出力側に二次電池１５を接続する。パンタグラフ１２は架線１１から直流電力を取り込んで、インバータ１３に供給する。インバータ１３は入力された直流電力を交流に変換してモータ１４に供給し、モータ１４の回転により車両が運行する。
【００３８】
二次電池１５は、架線１１が存在する軌道部分で第１象限または第２象限チョッパ回路として動作する四象限チョッパ回路１を介して直流の主回路から充電し、架線のない軌道部分で第３象限または第４象限チョッパ回路として動作する四象限チョッパ回路１を介して車両のインバータ１３に電力を供給してモータ１４の運転を維持する。もちろん、架線１１の電圧が不足したりした場合にも、二次電池１５から電力を補充することができる。
本実施例のデッドバンド補償法を用いてデッドバンドを解消したため、電圧変換率が１に近い場合にも正確に設定することができる。また、電圧変換率が１から離れた領域で二次電池１５を充放電する場合には、片側レグのみがスイッチするのでスイッチングロスを低く抑えることができる。
【図面の簡単な説明】
【００３９】
【図１】本発明の１実施例に係るデッドバンド補償方法を適用するパルス幅変調方式スイッチ回路の回路図である。
【図２】本実施例に係るデッドバンド補償方法を説明するグラフである。
【図３】ＰＷＭ信号で上アームと下アームのトランジスタを駆動するときのデッドタイムの影響を説明する線図である。
【図４】本実施例のデッドバンド補償方法を適用した場合の電圧変換率の設定値と達成値の関係を表したグラフである。
【図５】デッドバンド補償方法を適用しない従来例における電圧変換率の設定値と達成値の関係を表したグラフである。
【図６】本実施例におけるスイッチ素子のスイッチ特性図である。
【図７】本実施例のデッドバンド補償方法を電池の充放電制御装置に適用した例を示す回路図である。
【図８】本実施例のデッドバンド補償方法を電池駆動車両に適用した例を示す回路図である。
【符号の説明】
【００４０】
１  パルス幅変調方式四象限チョッパ回路
２  制御回路
３  直流電源装置
４  蓄電設備や負荷
５  直流電源
６  負荷
７  二次電池
１１  架線
１２  パンタグラフ
１３  インバータ
１４  モータ
１５  二次電池
【図１】
0005191270.tif 000002
【図２】
0005191270.tif 000003
【図３】
0005191270.tif 000004
【図４】
0005191270.tif 000005
【図５】
0005191270.tif 000006
【図６】
0005191270.tif 000007
【図７】
0005191270.tif 000008
【図８】
0005191270.tif 000009